(57)【要約】【課題】装飾性を付与した繊維強化プラスチック製のパネルで構築されたパネル組立式タンクを提供する。【解決手段】繊維強化プラスチック製のパネルを組み立ててなるパネル組立式タンクであって、前記タンクの外表面に、加飾層を有することを特徴とする、パネル組立式タンク。【選択図】図１
0003226472.tif 000002
【実用新案登録請求の範囲】
【請求項１】
繊維強化プラスチック製のパネルを組み立ててなるパネル組立式タンクであって、
前記タンクの外表面に、加飾層を有することを特徴とする、パネル組立式タンク。
【請求項２】
前記パネルの外側に配置される保温材カバーをさらに有し、前記加飾層は、該保温材カバーの外面に形成されていることを特徴とする、請求項１に記載のパネル組立式タンク。
【請求項３】
前記加飾層が耐候剤を含むことを特徴とする、請求項１または２に記載のパネル組立式タンク。
【請求項４】
前記加飾層が加飾フィルムからなることを特徴とする、請求項１〜３のいずれか一項に記載のパネル組立式タンク。
【請求項５】
前記加飾層は、前記タンクの一部または全面において、絵柄、図柄、写真、記号および文字の少なくともいずれかを有していることを特徴とする、請求項１〜４のいずれか一項に記載のパネル組立式タンク。
【考案の詳細な説明】
【技術分野】
【０００１】
本考案は、パネル組立式タンクに関する。
【背景技術】
【０００２】
繊維強化熱硬化樹脂（ＦＲＰ）製の複数の単位パネルを組立てて接合し、貯槽を形成する組立式のタンクは貯水槽等として種々の分野に用いられている。このようなパネル組立式タンクには、例えば繊維強化プラスチック（ＦＲＰ）パネルを組み合わせることにより構築される組立式タンクが知られている（例えば、非特許文献１参照）。当該タンクは、ＦＲＰパネルの構造体とそれに外装される外装パネルとを有している。当該構造体と外装パネルとの間には、保温材が収容されることがある。したがって、当該外装パネルは、このような部材の収容のための空間を形成する観点および水槽の強度、機能性の観点から、所定の凹凸形状を有している。
【先行技術文献】
【特許文献】
【０００３】
【非特許文献１】三菱ケミカルインフラテック株式会社、カタログ、「受水槽、高置水槽  ヒシタンクＧパネル型  ボルト組立形  新耐震設計スロッシング対応品」、2019年6月20日改訂（「ヒシタンク」は登録商標）
【考案の概要】
【考案が解決しようとする課題】
【０００４】
上記のタンクは、通常、建物に付随して配置される。このため、広告の用途あるいは周辺環境との調和の観点から、タンクの装飾が求められることがある。しかしながら、従来、装飾の施されたタンクは知られていない。
【０００５】
本考案の一態様は、装飾性を付与した繊維強化プラスチック製のパネルで構築されたパネル組立式タンクを提供することを目的とする。
【課題を解決するための手段】
【０００６】
上記の課題を解決するために、本考案の一態様に係るパネル組立式タンクは、繊維強化プラスチック製のパネルを組み立ててなるパネル組立式タンクであって、前記タンクの外表面に、加飾層を有する。
【考案の効果】
【０００７】
本考案の一態様によれば、装飾性を付与した繊維強化プラスチック製のパネルで構築されたパネル組立式タンクを提供することができる。
【図面の簡単な説明】
【０００８】
【図１】本考案の一実施形態に係る第一の例のパネル組立式タンクの斜視図である。
【図２】本考案のパネル組立式タンクを構成する外装パネルの断面図である。
【図３】本考案の一実施形態に係るパネル組立式タンクを構成する外装パネルの第一の例を示す図（図面代用写真）である。
【図４】本考案の一実施形態に係るパネル組立式タンクを構成する外装パネルの第二の例を示す図である。
【図５】図４の外装パネルを装着した、本考案の一実施形態に係るパネル組立式タンクのの外観の一例を示す図である。
【考案を実施するための形態】
【０００９】
以下、本考案の一実施形態に係るパネル組立式タンクについて、添付図面を参照しつつ説明する。
【００１０】
本考案の一実施形態に係るパネル組立式タンクは、繊維強化プラスチック製のパネル２（以下、ＦＲＰパネル２という）を組み立ててなるパネル組立式タンクであって、前記タンクの外表面に、加飾層９を有する。
図１に示すように、パネル組立式タンク１は、方形のＦＲＰ製の単位体パネルであるＦＲＰパネル２を並べて箱状に組み立てることで側面を形成している。ＦＲＰパネル２の接合縁３同士はボルトおよびナットを用いて締結し、接合縁３同士の間にパッキンを挟み込んで防水する。
【００１１】
パネル組立式タンク１はさらに、天井４、および底板５を有して、架台６の上に載置している。
【００１２】
ＦＲＰパネル２同士の接合は、パネル組立式タンク１内の貯留している物質が漏れないようにしたものであれば特に限定されない。具体的には、連接する部分にゴム製のパッキンを挟み込み、ナットとボルトを使用して締結することができる。
【００１３】
本考案に用いるＦＲＰパネル２は、ＦＲＰパネル２同士を連接可能な接合縁３が四周に設けてあるものであれば、特に限定されるものではない。ＦＲＰパネル２は、繊維強化熱硬化樹脂（ＦＲＰ）製であれば、特に限定されるものではない、ＦＲＰ製である場合、パネルの体積あたりの重量が軽く、好適に使用することができる。
【００１４】
天井４は、四周に接合縁を有する方形（例えば正方形）の天井用単位体パネルである。天井用単位体パネルもＦＲＰパネル２と同様かつ形状のみが異なるＦＲＰパネルであり得る。底板５についても四周に接合縁を有する単位体パネルであり得る。形状は限定されないがＦＲＰパネル２を並べて組み立てたものであり得る。
【００１５】
ＦＲＰパネル２の外表面には、加飾層９を有する。加飾層９については以下で詳述する。
【００１６】
また、図示していないがＦＲＰパネル２同士の連接部分を補強する補強材を鉛直方向または水平方向に備えていてもよい。
【００１７】
架台６および補強材の材質は剛性の高い材質であればよい。例えばガラスまたは炭素等の繊維で強化した合成樹脂、鋳鉄、鋳鋼、銅、銅合金、真鍮、ステンレス、アルミニウム、チタンなどの金属があげられる。あるいはコンクリートの二次製品等も適用できる。
【００１８】
ある実施形態におけるパネル組立式タンク１は、ＦＲＰパネル２の外表面に外装パネル７を有し、ＦＲＰパネル２の側面と外装パネル７との間に保温材が収容されるものであり得る。
【００１９】
図２は、パネル組立式タンク１を構成する外装パネル７の断面図である。外装パネル７は、保温材カバー８と該保温材カバー８の外面に加飾層９とを有する。
【００２０】
すなわち本考案の一実施形態のパネル組立式タンク１は、パネル２の外側に配置される保温材カバー８をさらに有し、加飾層９は、該保温材カバー８の外面に形成されている。
【００２１】
保温材カバー８と加飾層９とは、互いに接着していてもよいし、分離可能に重ねられていてもよい。また、外装パネル７において、加飾層９は、平面視したときの保温材カバーの一８部分に重なっていてもよいし、保温材カバー８の複数の部位のそれぞれで重なっていてもよいし、保温材カバー８の全体に重なっていてもよい。
【００２２】
［保温材カバー８］
保温材カバー８は、熱可塑性樹脂で構成されている。保温材カバー８の材料および形状は、適宜に決めることが可能である。
【００２３】
保温材カバー８の材料である熱可塑性樹脂は、一種でもそれ以上でもよい。保温材カバー８の材料としての熱可塑性樹脂の例には、ポリスチレン系樹脂、アクリル系樹脂、ポリカーボネート、ポリ塩化ビニル系樹脂、ポリエチレン系樹脂、ポリプロピレン系樹脂、アクリロニトリル−ブタジエン−スチレン（ＡＢＳ）共重合体、アクリロニトリル−エチレン−プロピレン−ブタジエン−スチレン（ＡＥＳ）共重合体、変性ポリフェニレンオキサイド、ポリフェニレンサルファイド、ポリエーテルイミド、ポリエーテルエーテルケトン、および、アイオノマー樹脂（エチレン−メタクリル酸共重合体金属塩）、が含まれる。
【００２４】
保温材カバー８は、二種以上の熱可塑性樹脂製の層が重ねられた積層体であってもよい。
【００２５】
保温材カバー８は、耐候性を有することが好ましい。保温材カバーの耐候性は、耐候性の高い熱可塑性樹脂を保温材カバーの材料に用いることにより、あるいは、基材に耐候性剤を添加することにより、高めることが可能である。
【００２６】
また、保温材カバー８における加飾層９が重ねられる表面は、平滑であることが、真空成形時における保温材カバー８と加飾層９との接着性を高める観点、および加飾層９の成形不良を防止する観点から好ましい。
【００２７】
［加飾層９］
加飾層９は、ＦＲＰパネル２の表面または保温材カバー８の外面に、着色剤（塗料）を直接塗装することによって形成してもよく、ＦＲＰパネル２または保温材カバー８の表面に、印刷または塗膜形成してもよい。あるいは、ＦＲＰパネル２の表面に、加飾フィルム９を直接貼付することによって形成してもよく、保温材カバー８に加飾フィルム９を重ねた積層物を加熱真空成形によって成形することによって形成してもよい。
【００２８】
加熱真空成形方法は、公知のように、積層物を加熱して十分に軟化し、軟化した積層物に、所望の凹凸形状に対応する形状を有する型を当接し、積層物と型との間の空気を吸引して積層物を型に密着させて成形する方法である。本実施形態では、加飾フィルム９が保温材カバー８の外面に適切に追従させる観点から、加熱真空成形方法における成形条件を適宜に決めることが可能である。
【００２９】
たとえば、加熱真空成形における成形温度は、保温材カバー８となる基材の弾性率と、加飾フィルム９の弾性率との差が６ＭＰａ以下となる温度であることが好ましい。上記の成形温度は、ひけなどの成形不良の発生を防止する観点から好適である。なお、「ひけ」とは、成形品の実際の縁部が、設計上の縁部よりも内側に曲がる現象である。
【００３０】
また、上記成形温度は、成形時に上記基材に十分かつ適切な柔軟性を付与する観点から、基材のガラス転移温度Ｔｇα℃からＴｇα＋５０℃までの範囲の温度であることが好ましい。基材のガラス転移温度Ｔｇαは、公知の技術によって求めることができ、例えば、示差走査熱量分析（ＤＳＣ）によって求めることが可能である。
【００３１】
さらに、上記成形温度は、成形時に加飾フィルム９に十分かつ適切な柔軟性を付与する観点から、加飾フィルム９の融点未満の温度であることが好ましい。
【００３２】
さらには、上記成形温度は、加飾フィルム９が後述の耐候剤を含有する場合では、より低いことが、加熱真空成形での加熱による耐候剤の変性を抑制する観点から好ましい。
【００３３】
加飾層９は各ＦＲＰパネル２または各保温材カバー８の単位体それぞれに形成されてもよく、複数のＦＲＰパネル２または各保温材カバー８が連接されたものに対して一度に形成されていてもよい。
【００３４】
すなわち、ＦＲＰパネル２または保温材カバー８の表面に加飾層９を設けたのち、該パネルを用いてタンクを組み立ててもよく、加飾層９を有さないＦＲＰパネル２または保温材カバー８を用いてタンクを組み立てたのち、該パネル２またはＦＲＰパネル２の外表面に設けられた保温材カバー８の表面に加飾層９を設けてもよい。
【００３５】
塗装、印刷もしくは塗膜形成または加飾フィルムに用いられる着色剤は、樹脂組成物の着色に利用可能な公知の材料から適宜に選ぶことが可能である。着色剤は、一種でもそれ以上でもよく、その例には、染料、顔料および金属粉が含まれる。染料の例には、アゾ系染料、アントラキノン系染料、インジゴイド系染料およびスチルベンゼン系染料が含まれる。顔料としては、酸化チタン、酸化鉄、カーボンブラック、シアン系顔料およびキナクリドン系顔料が含まれる。金属粉の例には、アルミフレーク、ニッケル粉、金粉および銀粉が含まれる。
【００３６】
塗装、印刷もしくは塗膜形成は、従来公知の方法を用いて行うことができる。例えば熱転写法、インクジェット法、スプレー法、バーコード法、グラビアコート法、オフセット法などの方法が挙げられる。
【００３７】
加飾層９は、加飾フィルムからなるものであり得る。
【００３８】
［加飾フィルム］
加飾フィルムは、熱可塑性樹脂で構成されている。加飾フィルムとは、熱可塑性樹脂製のフィルムであって、装飾のための構成を含むフィルムである。加飾フィルムの材料および形状は、適宜に決めることが可能である。加飾フィルムは、通常、平らなシートであってよい。
【００３９】
加飾フィルムの材料である熱可塑性樹脂は、一種でもそれ以上でもよい。加飾フィルムの材料としての熱可塑性樹脂の例には、ポリスチレン樹脂、ポリウレタン樹脂、ポリオレフィン樹脂、ポリエステル樹脂、ポリ塩化ビニル樹脂、ポリアミド樹脂およびフッ素樹脂が含まれる。
【００４０】
ポリオレフィン樹脂の例には、ポリエチレン、ポリプロピレン、および、エチレン−ブテン−プロピレンのターポリマー、が含まれる。ポリエチレンの例には、低密度ポリエチレン、中密度ポリエチレン、高密度ポリエチレンおよび線状低密度ポリエチレンが含まれる。ポリプロピレンの例には、ホモポリプロピレン、プロピレンとエチレンのブロックコポリマーなどのポリプロピレンのブロックコポリマー、および、プロピレンとエチレンのランダムコポリマーなどのポリプロピレンのランダムコポリマー、が含まれる。
【００４１】
加飾フィルムが有する装飾のための構成は、例えば、加飾フィルム中に分散されている着色剤であってもよいし、上記樹脂フィルムの表面に形成されている着色層であってもよい。加飾フィルムが着色剤を含有することは、外装パネル７を均一な着色で装飾する観点から好ましい。
【００４２】
加飾フィルムが有する着色層は、塗料の塗膜で構成することが可能である。このような塗膜は、公知の方法によって樹脂フィルム上に形成することが可能である。塗膜は上述した公知の方法によって形成することが可能である。着色層は、加飾フィルムに模様または文字などの所定の形状および色調を有する装飾を施す観点から好ましい。
【００４３】
[耐候剤］
加飾層９は耐候剤を含有することが好ましい。加飾層９が加飾フィルムである場合、耐候剤は、加飾フィルムに含有されていてもよい。耐候剤は一種でもそれ以上でもよいし、加飾フィルムにおける樹脂フィルムに配合されていてもよいし、着色層に配合されていてもよい。
【００４４】
耐候剤は、主に光による変質および酸化による変質を抑制するのに有効な公知の成分であってよい。耐候剤の例には、紫外線吸収剤および抗酸化剤が含まれる。紫外線吸収剤の例には、ベンゾフェノン系紫外線吸収剤、ベンゾトリアゾール系紫外線吸収剤およびトリアジン系紫外線吸収剤が含まれる。抗酸化剤の例には、フェノール系抗酸化剤およびフォスファイト系抗酸化剤が含まれる。耐候剤の含有量は、例えば、耐候剤の種類、パネル組立式タンク１の用途、パネル組立式タンク１の使用環境およびパネル組立式タンク１に求められる耐久期間に応じて、本実施形態の効果とともに耐候剤の十分な効果が得られる範囲において適宜に決めることが可能である。
【００４５】
加飾フィルムの厚さは、変形性と装飾性との観点から、例えば５０〜２００μｍの範囲内であってよい。
【００４６】
［パネルの形状］
なお、本実施形態において、ＦＲＰパネル２および保温材カバー８は、凹凸形状を有していてもよい。凹凸形状は、限定されないが、加飾層９の形態に応じて設定することが可能である。たとえば、加飾層９を前述の加熱真空成形によって形成する場合では、当該凹凸形状は、例えば、矩形の模様を碁盤目状に付した仮想のシートを所望の凹凸形状に成形したときに、成形後における各矩形の模様の寸法の変化の最大値が、加飾フィルム９における装飾性から決まる上限値を超えない範囲に決めることが可能である。当該最大値は、市販の画像処理ソフトによって求めることが可能である。また、当該上限値は、加飾フィルムにおける装飾の内容に応じて、仮想シートの矩形が上記の最大値の寸法に変化したときに、装飾の内容が実質的に同じとなるように、適宜に設定することが可能である。
【００４７】
［タンクの装飾］
本考案の一実施形態に係るパネル組立式タンクは、タンクの一部または全面において、絵柄、図柄、写真、記号および文字の少なくともいずれか（以下、「絵柄等」とも言う）を有している。この他に、タンクは、特定の単一の色調を呈する加飾層９によって、単一の色調を呈するように装飾されていてもよい。
【００４８】
タンクの装飾としての絵柄等は、タンクの表面を構成するパネルのうちの一枚のみで構成されていてもよいし、複数枚で構成されていてもよい。複数枚で構成される絵柄等は、隣接するパネルで構成される連続する絵柄等であってもよいし、隣接しないパネル同士で構成される断続的な絵柄等であってもよい。
【００４９】
あるいは、上記の絵柄等は、タンクの側面を構成するパネルの一部、例えば、ある高さに配置されたパネルの全て、にわたって構成されていてもよいし、タンクの側面を構成するパネルの全てによって構成されていてもよい。また、上記の絵柄等は、タンクの側面および上面に配置されるパネルの一部または全てによって構成されてもよい。
【００５０】
さらに、タンクに形成される絵柄等は、タンク全体で一種の絵柄等であってもよいし、それ以上であってもよい。
【００５１】
絵柄、図柄、写真、記号および文字は特に限定はなく、あらゆる模様またはデザインが適用でき、目的に応じてこれらの組合せが適用される。図３〜図５に具体例を示す。
【００５２】
図３および図４に、外装パネル７の具体例を示す。当該外装パネルは、ＦＲＰパネル２を組み立てて構築されるタンクにおいて外装される外装パネルである。図３および図４は、いずれも加飾フィルム側から見た図となっており、当該外装パネルは、加飾フィルム側を外側に向けてタンクに外装される。
【００５３】
図３に示す外装パネルは、木目調の絵柄を有している。
【００５４】
このような絵柄を付すことによって、周辺環境に適合した美観が付与される。
【００５５】
また、図４に示すパネル外装パネルは、イラストを含む文字を有している。これらの絵柄および文字は、いずれも、加熱真空成形前の加飾フィルムの表面にインクジェット印刷されたものである。
【００５６】
このように文字を付すことにより、優れた広告性またはメッセージ性を有する。
【００５７】
また、図５は、図４の外装パネルを装着した、本考案の一実施形態に係るパネル組立式タンクの外観の一例を示す図である。当該タンクは、前述したＦＲＰパネルで構築される水槽であり、ＦＲＰパネルの外側に、外装パネルを装着している。図５のタンクは、図４で示す外装パネルを有している。図５中のハーフトーンの部分は、加飾層を有する同様の外装パネルが配置されていることを意味している。たとえば、図５に装着される外装パネルが図３に示す木目調の加飾層を有する場合では、図５に示されるタンクは、全面に木目調の装飾を有し、その結果、落ち着いた外観を呈する。このような外装パネルを用いることにより、水槽の一部または全体を着色し、装飾することが可能となる。
【００５８】
また、パネル組立式タンクの別の例としては、二次元コードを含む文字を有しているものも挙げられる（図示せず）。これらの絵柄および文字は、いずれも、加熱真空成形前の加飾フィルムの表面にインクジェット印刷されたものである。外装パネルに印刷されている二次元コードは、当該二次元コードを範囲内に収めることにより、スマートフォンなどの読み取り機器によって読み取り可能である。
【００５９】
［他の構成］
保温材カバー８および加飾層９は、いずれも、本実施形態の効果が得られる範囲において、前述した耐候剤のような添加剤をさらに含んでいてもよい。当該添加剤は、一種でもそれ以上でもよく、その例には、前述した耐候剤の他に、フィラー、安定剤が含まれる。
【００６０】
また、パネル組立式タンク１は、保温材カバー８および加飾層９（例えば加飾フィルム）以外の他の構成をさらに含んでいてもよい。このような他の構成の例には、接着層が含まれる。
【００６１】
加飾層９は、加圧、加熱、溶剤による化学処理、レーザー照射、彫刻または切削等の方法で表面に凹凸のある立体的な加工をさらに施してあってもよい。
【００６２】
また、塗装、印刷もしくは塗膜または加飾フィルムが長期間外部環境にさらされることによってはがれたり劣化したりすることを防ぐために加飾層９の表面を保護する保護層をさらに有していてもよい。
【００６３】
ＦＲＰパネル２または保温材カバー８は、加飾層９における絵柄等に応じたタンクの設置位置を特定する構成をさらに含んでいてもよい。たとえば、保温材カバー８は、絵柄等に応じた特定の保温材カバー８同士が適切に並ぶ場合に嵌合する嵌合部を有していてもよいし、絵柄等に応じたタンクにおける位置を表示する表示部を有していてもよい。当該表示部は、保温材カバー８は、加飾層９における絵柄等に応じた特定の設置向きを表示してもよい。嵌合部および表示部は、保温材カバー８に付加される部材であってもよいし、保温材カバー８の成形時に形成される部分であってもよい。
【００６４】
〔作用効果〕
このように本考案に係るパネル組立式タンクは、タンクの意匠性が高められている。その結果、当該タンクに宣伝または広告機能または周辺環境に適合した美観が付与され、当該タンクあるいは当該タンクが付属する建物の価値がより一層高められる。本考案によれば、所望のデザインが施され、装飾性または広告性を備えた意匠性のより優れたパネル組立式タンクを提供することができる。
【００６５】
〔まとめ〕
本考案の一態様に係るパネル組立式タンクは、繊維強化プラスチック製のパネルを組み立ててなるパネル組立式タンクであって、前記タンクの外表面に、加飾層を有することを特徴とする。
上記の構成によれば装飾性または広告性に優れたパネル組立式タンクを提供することができる。
【００６６】
また、本考案の別の一態様に係るパネル組立式タンクは、前記パネルの外側に配置される保温材カバーをさらに有し、前記加飾層は、該保温材カバーの外面に形成されていることを特徴とする。
【００６７】
上記の構成によれば、保温材カバー外面が装飾性または広告性に優れたパネル組立式タンクを提供することができる。
【００６８】
また、本考案の一態様に係るパネル組立式タンクは、前記加飾層が耐候剤を含むことを特徴とする。
【００６９】
上記の構成によれば、耐候性を高める観点からより一層効果的である。
【００７０】
また、本考案の一態様に係るパネル組立式タンクは、前記加飾層が加飾フィルムからなることを特徴とする。
【００７１】
上記の構成によれば、均一な着色で装飾することができる。
【００７２】
また、本考案の一態様に係るパネル組立式タンクは、前記加飾層は、前記タンクの一部または全面において、絵柄、図柄、写真、記号および文字の少なくともいずれかを有していることを特徴とする。
【００７３】
上記の構成によれば、広告の用途あるいは周辺環境との調和の観点から意匠性のより優れたタンクを提供することができる。
【産業上の利用可能性】
【００７４】
本考案は、種々の産業分野のパネル組立式タンクに広く利用することができる。
【符号の説明】
【００７５】
１  パネル組立式タンク
２  ＦＲＰパネル
３  接合縁
４  天井
５  底板
６  架台
７  外装パネル
８  保温材カバー
９  加飾層
【図１】
0003226472.tif 000003
【図２】
0003226472.tif 000004
【図３】
0003226472.tif 000005
【図４】
0003226472.tif 000006
【図５】
0003226472.tif 000007